(57)【特許請求の範囲】
【請求項１】
裏面側に粘着剤を設けるとともにこれを剥離紙で被覆した貼着基材の表面側に、貼付票と配達票兼受領票とをそれぞれの配送情報記入面が表出するように設け、前記配達票兼受領票は、前記貼着基材に対して剥離可能に設けられる一方、前記剥離紙には、これを剥離して前記貼着基材を配送品に接着したときに、前記貼着基材から剥離した前記配達票兼受領票を挿入保持しうる挿入空間を確保するための非剥離部を、ジッパー線で区画形成したことを特徴とする配送伝票。
【請求項２】
非剥離部を区画形成するジッパー線は、配送伝票の一端縁から互いに平行に伸びるとともに、一方が他方よりも長い一対の平行部と、これら平行部の前記一端縁とは反対側端を連結する連結部とからなり、剥離紙の剥離開始隅部側に、長い平行部と連結部の連結部分が位置することを特徴とする請求項１に記載の配送伝票。
【請求項３】
非剥離部を区画形成するジッパー線は、一方が長く他方が短い谷形直線のタイ部がブリッジ部を介して不連続に配置されてなるとともに、タイ部の長い直線部分が剥離開始隅部側に位置し、平行部と連結部の連結は、平行部のタイ部と連結部側の連結直線とでなされ、この連結直線は、平行部のタイ部の長い直線部分の始端部と連結部の最初のブリッジ部の始端部とを結んでなることを特徴とする請求項２に記載の配送伝票。
【発明の詳細な説明】
【０００１】
【発明の属する技術分野】
本発明は、配送作業で使用する複数の伝票を備えた配送伝票に関し、特に、配送情報をプリンタで印字する場合には、いわゆるノンインパクト式プリンタで印字可能な配送伝票に関する。
【０００２】
【従来の技術】
従来の複数の伝票を備えた配送伝票は、封筒状に三周縁を接着した貼付票を兼ねる封筒上紙と封筒下紙との間に、複数の伝票を分離可能に綴じ合わせ、封筒上紙への記入で、下位の伝票へ複写記入できるように加圧により複写する複写構造を設けた第１の構成と、裏面側に粘着剤を設けるとともにこれを剥離紙で被覆した貼着基材の表面側に、少なくとも貼付票と配達票兼受領票とをそれぞれの配送情報記入面が表出するように設け、前記配達票兼受領票は、前記貼着基材に対して剥離可能に設けた第２の構成とがある。そして、第１の構成では、プリンタで複写記入するには圧力のかかるインパクト式プリンタでなければならず、近年普及が著しい印字速度の速いノンインパクト式プリンタでは複写記入できないという不都合がある。このため、ノンインパクト式プリンタで複数の伝票に印字可能な第２の構成の配送伝票が注目されている。
【０００３】
ところで、配送品の届け先が留守の場合には、配送品を通常着店と称される営業所に持ち帰って再配送する必要があるが、第１の構成によれば、受領印の捺印を受けるべく抜き取った受領票を、封筒状部分に挿入して配送品に支持した状態で持ち帰ることができるので、受領票と配送品の関連づけが容易で、利便性に優れる。これに対して、第２の構成では、剥離した受領票を配送品に支持した状態で持ち帰ることができず、一旦剥離した受領票を配送品に関連づけて保管することが困難であるという不都合があった。
【０００４】
【発明が解決しようとする課題】
したがって、ノンインパクト式プリンタにおける印字適性を備えた、上述の第２の構成の配送伝票において、配送品の持ち帰り時に生じる、一旦剥離した受領票を配送品に関連づけて保管する困難性を解消することが要望されている。本発明は、この要望に応えることのできる配送伝票を提供することを目的とする。
【０００５】
【課題を解決するための手段】
この目的を達成するために、本発明の請求項１に記載した配送伝票は、裏面側に粘着剤を設けるとともにこれを剥離紙で被覆した貼着基材の表面側に、貼付票と配達票兼受領票とをそれぞれの配送情報記入面が表出するように設け、前記配達票兼受領票は、前記貼着基材に対して剥離可能に設けられる一方、前記剥離紙には、これを剥離して前記貼着基材を配送品に接着したときに、前記貼着基材から剥離した前記配達票兼受領票を挿入保持しうる挿入空間を確保するための非剥離部を、ジッパー線で区画形成したものである。
【０００６】
なお、本明細書でいうジッパー線は、一般に、封筒などの開封部に設けられる、帯状のジッパーを形成する切り離し線を意味する。非剥離部をジッパー線で区画形成することにより、剥離紙における非剥離部を残す剥離動作が通常のミシン目に比べて容易になる一方、剥離紙にジッパー線を形成した後に、剥離紙を貼着基材に貼着したり、印字する工程を経ても、これら工程中にジッパー線が破断することはないので、特に、剥離紙が薄い場合の非剥離部の形成に有利である。
【０００７】
また、同じく上述の目的を達成するために、本発明の請求項２に記載した配送伝票は、上述の請求項１の構成において、非剥離部を区画形成するジッパー線は、配送伝票の一端縁から互いに平行に伸びるとともに、一方が他方よりも長い平行部と、この平行部を連結する連結部とからなり、剥離紙の剥離開始隅部側に、長い平行部と連結部の連結部分が位置するもので、この連結部分は鋭角状に交わるものである。
【０００８】
さらに、同じく上述の目的を達成するために、本発明の請求項３に記載した配送伝票は、上述の請求項２の構成において、非剥離部を区画形成するジッパー線は、一方が長く他方が短い谷形直線のタイ部がブリッジ部を介して不連続に配置されてなるとともに、タイ部の長い直線部分が剥離開始隅部側に位置し、平行部と連結部の連結は、平行部のタイ部と連結部側の連結直線とでなされ、この連結直線は、平行部のタイ部の長い直線部分の始端部と連結部の最初のブリッジ部の始端部とを結んでなるものである。
【０００９】
【発明の実施の形態】
以下、添付図面に基づいて本発明の好適な実施形態を説明する。ここにおいて、図１は必要な情報を印字した配送伝票の概略的な斜視図、図２は配送伝票の裏面側を示す概略的な平面図、図３はジッパー線の一部を省略して示す拡大平面図、図４は非剥離部を残して剥離紙を剥離した状態を示す概略的な平面図、図５は配送品に貼着した配送伝票に剥離した配達票兼受領票を支持した状態を示す平面図、図６は同じくそのＡ−Ａ線断面図である。
【００１０】
図１に示すように、配送伝票１は各種物品を配送する宅配便で使用するもので、貼着基材２の裏面側に粘着剤３を設けるとともにこれを剥離紙４で被覆する一方、この貼着基材２の表面側に剥離可能な感圧性接着剤５を設け、貼付票６と配達票兼受領票７と控票８とを並列的に接着して設けてなる。貼付票６と配達票兼受領票７と控票８は、１枚のシートにスリット９，１０を入れて区画形成したものである。そして、図示してはいないが、前記配送伝票１は、当初、天地方向に折り兼切り用ミシン目を介して多数連接された連続状態にある。
【００１１】
上述の感圧性接着剤５としては、種々の構成を採用できるが、例えば、天然ゴム１００重量部に対し、スチレン２重量部とメタクリル酸メチル１０重量部とをグラフト共重合させて得られた天然ゴムラッテクスに、テルペン樹脂系粘着付与剤５重量部を添加して感圧性のベース接着剤とし、このベース接着剤１００重量部に対し、平均粒径５μｍのシリカゲル２０重量部を添加してなるものがある。
【００１２】
図１に示すように、貼付票６の表面には、「貼付票」なる標題１１と、伝票番号１２と、この伝票番号１２と同一内容を示すバーコード表示１３と、届け先記入欄１４と、依頼主記入欄１５と、品名記入欄１６と、数量記入欄１７とを設けている。また、配達票兼受領票７の表面には、「配達票兼受領票」なる標題１８と、伝票番号１９と、この伝票番号１９と同一内容を示すバーコード表示２０と、届け先記入欄２１と、依頼主記入欄２２と、持ち帰り理由選択表示欄２３と、受領印捺印欄２４と、品名記入欄２５と、数量記入欄２６とを設けている。さらに、控票８の表面には、「控票」なる標題２７と、伝票番号２８と、この伝票番号２８と同一内容を示すバーコード表示２９と、届け先記入欄３０と、依頼主記入欄３１と、品名記入欄３２と、数量記入欄３３とを設けている。このように、前記貼付票６、前記配達票兼受領票７、前記控票８の各表面が配送情報記入面となっている。
【００１３】
また、配達票兼受領票７と控票８の左下隅部には、それぞれ三角形状の印刷部３３，３４を設け、この印刷部３３，３４に向けた矢印と「はがす」という文字からなる剥離開始端指示表示３５，３６を印刷で設けている。前記印刷部３３，３４に対応する貼着基材２の表面側には、感圧性接着剤５の接着力を弱めて、前記配達票兼受領票７あるいは前記控票８を貼着基材２から剥離する際の剥離動作を円滑に開始するための印刷部３７，３８を設けている（図５参照）。
【００１４】
図２に示すように、剥離紙４には、これを剥離して貼着基材２を配送品５０（図５及び図６参照）に接着したときに、前記貼着基材２から剥離した配達票兼受領票７を挿入保持しうる挿入空間を確保するための非剥離部４ａを、ジッパー線４０で区画形成している。
【００１５】
このジッパー線４０は、配送伝票１の一端縁から互いに平行に伸びる一対の平行部４０ａ，４０ｂと、これら平行部４０ａ，４０ｂを連結する連結部４０ｃとからなる。前記平行部４０ａ，４０ｂは、一方の平行部４０ｂが他方の平行部４０ａよりも長く形成され、剥離紙４の剥離開始隅部側に、長い平行部４０ｂと連結部４０ｃの連結部分が位置し、この連結部分は鋭角状に交わっている。
【００１６】
図３で理解できるように、ジッパー線４０は、一方が長く他方が短い谷形直線のタイ部４１がブリッジ部４２を介して不連続に配置されてなるとともに、タイ部４１の長い直線部分が剥離開始隅部側に位置し、平行部４０ｂと連結部４０ｃの連結は、平行部４０ｂのタイ部４１と連結部４０ｃ側の連結直線４４とでなされ、この連結直線４４は、平行部４０ｂのタイ部４１の長い直線部分の始端部４１ａと連結部４０ｃの最初のブリッジ部４２ａの始端部４３ａとを結んでなる。換言すると、前記連結直線４４は、連結部４０ｃの最初にあるべきタイ部４３に換えて、平行部４０ｂのタイ部４１の長い直線部分の始端部４１ａと、前記タイ部４３の終端部４３ａを連結した直線である。そして、各タイ部４１は、ａ：ｂ：ｃ：ｄが１：２：４：２に設定されている。
【００１７】
続いて、以上のように構成した本実施形態の配送伝票１の使用方法について説明する。まず、配送取次店では、宅配会社から送られてきた連続状態にある配送伝票１を、連接位置にある折り兼切り用ミシン目を破断して、単位化しておく。配送依頼者が配送品（図示せず）を取次店に持ち込むと、取次店では依頼者の申し出、あるいは申込書の記載に基づいて、パソコン（図示せず）にデータ入力し、このパソコンの出力装置であるノンインパクト式プリンタ（図示せず）によって、図１に示すように、貼付票６、配達票兼受領票７、控票８の各届け先記入欄１４，２１，３０、各依頼主記入欄１５，２２，３１、各品名記入欄１６，２５，３２、各数量記入欄１７，２６，３３にそれぞれ、届け先情報４６ａ，４６ｂ，４６ｃ、依頼主情報４７ａ，４７ｂ，４７ｃ、品名情報４８ａ，４８ｂ，４８ｃ、数量情報４９ａ，４９ｂ，４９ｃを印字記入する。
【００１８】
そして、取次店では、配送情報を印字記入した配送伝票１の剥離紙４を、図２における右下隅部からジッパー線４０の平行部４０ｂと連結部４０ｃの連結部分に向けて捲り上げるように剥離する。ここで、前記平行部４０ｂのタイ部４１と連結部４０ｃ側の連結直線４４による連結部分は、鋭角状に交叉しているので、剥離紙４は、大きな力を受けなくても、この連結部分のカットに沿って捲り上げられ、前記ジッパー線４０が順次破断して、図４に示すように、前記非剥離部４ａを貼着基材２に残した状態で剥離される。この状態で、露出した粘着剤３により貼着基材２の裏面側を持ち込まれた配送品５０の適所に貼付するとともに、控票８を印刷部３４端から剥離して取次店の控として保管する。
【００１９】
貼着基材２上に貼付票６と配達票兼受領票７が残った配送伝票１を貼付した配送品５０は、取次店に収集にきた宅配会社の配送担当者によって収集され、通常の宅配作業と同様にして、着店と称される営業所から届け先情報３７ａ，３７ｂ，３７ｃとして記載された届け先に配送される。
【００２０】
この際、配達票兼受領票７は宅配会社の配送担当者によって貼着基材２から適宜剥離され、配送担当者の手元に置いて配送作業に供される。届け先ではこの配達票兼受領票７の受領印捺印欄２４に受領印を捺印してもらい、配送担当者はこれを着店に持ち帰って処理し、配送作業を終了する。ここで、届け先が留守の場合には、前記配達票兼受領票７の持ち帰り理由選択表示欄２３の対応する持ち帰り理由を選択表示した後、図５及び図６に示すように、貼着基材２から剥離した配達票兼受領票７を、前記貼着基材２の裏面側に非剥離部４ａによって配送品５０との間に形成された空間部分に、挿入支持することによって、配送品５０とともに前記配達票兼受領票７を着店に持ち帰って、再配送を行うものである。
【００２１】
なお、本発明は上述した実施形態に限定されるものではなく、例えば、貼着基材２上に設ける伝票は、少なくとも貼着票６と配達票兼受領票７があれば足り、控票８などの他の伝票は用途に応じて選択的に設けられるものである。また、貼着票６は、貼着基材２から剥離する必要はないので、配達票兼受領票７とは異なる接着剤で剥離困難に接着してもよい。さらに、配達票兼受領票７と控票８の裏面周縁部、あるいはこれに対応する貼着基材２の表面に、剥離動作をより容易にするためにベタ印刷などによる印刷部を設けることも可能である。
【００２２】
またさらに、非剥離部４ａの形状、あるいは、ジッパー線４０を形成するタイ部４１、ブリッジ部４２や連結直線４４の構成も上述したものに限られない。さらにまた、各記入欄１４，１５，１６，１７，２１，２２，３０，３１，３２，３３への記入は、配送依頼者が配送依頼時に手書きで行ってもよい。
【００２３】
【発明の効果】
以上説明したように、本願発明の請求項１に記載した配送伝票によれば、貼付票、配達票兼受領票の各記入部に対する印字記入をプリンタで行う場合には、ノンインパクト式プリンタで行うことができ、また、剥離した配達票兼受領票を、非剥離部により貼着部材と配送品の間に形成される空間部分に挿入して、配達票兼受領票を配送品と対応付けて確実に保持して、着店に持ち帰ることができ、さらに、ジッパー線が不必要に破断する虞がないという効果を奏する。
【００２４】
また、本願発明の請求項２に記載した配送伝票によれば、上記効果に加えて、剥離紙を非剥離部を残して剥離する際のジッパー線の破断動作を、容易、かつ確実になすことができるという効果を奏する。
【００２５】
さらに、本願発明の請求項３に記載した配送伝票によれば、上記請求項２の効果における、剥離紙を非剥離部を残して剥離する際のジッパー線の破断動作を、より一層、容易、かつ確実になすことができるという効果を奏する。
【図面の簡単な説明】
【図１】必要な情報を記入した配送伝票の表面側を示す概略的な斜視図。
【図２】配送伝票の裏面側を示す概略的な平面図。
【図３】ジッパー線の一部を省略して示す拡大平面図。
【図４】非剥離部を残して剥離紙を剥離した状態を示す概略的な平面図。
【図５】配送品に貼着した配送伝票に剥離した配達票兼受領票を支持した状態を示す平面図。
【図６】図５のＡ−Ａ線断面図。
【符号の説明】
１      配送伝票
２      貼着基材
３      粘着剤
４      剥離紙
４ａ      非剥離部
５      剥離可能な感圧性接着剤
６      貼付票
７      配達票兼受領票
８      控票
４０      ジッパー線
４０ａ，４０ｂ      平行部
４０ｃ      連結部
４１      タイ部
４２      ブリッジ部
４４      連結直線
【図１】
0003801450.tif 000002
【図２】
0003801450.tif 000003
【図３】
0003801450.tif 000004
【図４】
0003801450.tif 000005
【図５】
0003801450.tif 000006
【図６】
0003801450.tif 000007